(57)【要約】【課題】  回路構成を複雑化することなくトラッキング調整を容易に行うことができるようにする。【解決手段】  局部発振回路２０において受信予定の放送信号と同一の周波数を有するトラッキング調整用信号として用いる局部発振信号を生成すると共に、この局部発振信号を同調回路を備えた高周波増幅回路１８に入力する。そして、高周波増幅回路１８の出力レベルが最大になるように高周波増幅回路１８の同調素子である可変容量ダイオードに供給される制御電圧を調整し、その後に高周波増幅回路１８で同調された受信信号と所定の中間周波数に変換するための局発周波数を有する局部発振信号とを混合回路に入力する。【選択図】      図１
2006033616.tif 000002
【特許請求の範囲】
【請求項１】
高周波増幅回路で同調された受信信号が局部発振回路で生成された局部発振信号により混合回路において所定の中間周波数に変換されると共に、マイクロコンピュータにより自動選局するように構成されたスーパーヘテロダイン方式のラジオ受信機のトラッキング調整方法であって、
前記局部発振信号の周波数を受信予定の放送信号の周波数と同一の周波数に設定し、この局部発振信号を前記高周波増幅回路に入力するステップと、
前記局部発振信号の入力された高周波増幅回路の出力レベルが最大になるように当該高周波増幅回路を構成する同調素子の定数を設定変更するステップと、
前記高周波増幅回路の出力レベルが最大になるように同調素子の定数が設定変更された後に、前記局部発振信号の周波数を受信予定の放送信号の周波数が前記混合回路において所定の中間周波数に変換される局発周波数に設定するステップと、
前記局発周波数に設定された局部発振信号を前記同調素子の定数が設定変更された後の高周波増幅回路で同調された受信信号と共に前記混合回路に入力するステップと、
を備えたことを特徴とするラジオ受信機のトラッキング調整方法。
【請求項２】
前記局部発振信号の周波数を受信予定の放送信号と同一の周波数に設定するステップでは、前記局部発振回路に含まれる可変容量ダイオードに供給する制御電圧を調整することにより局部発振信号の周波数を受信予定の放送信号と同一の周波数に設定することを特徴とする請求項１記載のラジオ受信機のトラッキング調整方法。
【請求項３】
前記局部発振信号の周波数を局発周波数に設定するステップでは、前記局部発振回路に含まれる可変容量ダイオードに供給する制御電圧を調整することにより局部発振信号の周波数を局発周波数に設定することを特徴とする請求項１記載のラジオ受信機のトラッキング調整方法。
【請求項４】
前記高周波増幅回路の出力レベルが最大になるように同調素子の定数を設定変更するステップでは、前記高周波増幅回路に含まれる可変容量ダイオードに供給する制御電圧を調整することにより同調素子の定数を設定変更することを特徴とする請求項１乃至３のいずれかに記載のラジオ受信機のトラッキング調整方法。
【請求項５】
前記高周波増幅回路の出力レベルが最大になるように同調素子の定数を設定変更するステップでは、前記高周波増幅回路からの出力を増幅すると共に、この増幅した出力レベルが最大になるように同調素子の定数を設定変更することを特徴とする請求項１乃至４のいずれかに記載のラジオ受信機のトラッキング調整方法。
【請求項６】
高周波増幅回路で同調された受信信号が局部発振回路で生成された局部発振信号により混合回路において所定の中間周波数に変換されると共に、マイクロコンピュータにより自動選局するように構成されたスーパーヘテロダイン方式のラジオ受信機であって、
アンテナから入力された放送信号と前記局部発振回路で生成された局部発振信号のいずれか一方の信号を前記高周波増幅回路に選択的に入力させる入力切換部と、
前記局部発振信号を前記高周波増幅回路に入力させる場合に当該局部発振信号の周波数を受信予定の放送信号と同一の周波数に設定すると共に、前記アンテナから入力された放送信号を前記高周波増幅回路に入力させる場合に前記局部発振信号の周波数を受信予定の放送信号の周波数が前記混合回路において所定の中間周波数に変換される局発周波数に設定する発振周波数設定部と、
前記局部発振信号が前記高周波増幅回路に入力される場合に当該高周波増幅回路の出力レベルが最大になるように当該高周波増幅回路を構成する同調素子の定数を設定変更する定数設定部と、
放送信号を受信するにあたり、前記入力切換部を前記局部発振回路で生成された局部発振信号が前記高周波増幅回路に入力されるように動作させ、前記高周波増幅回路の出力レベルが最大になるように同調素子の定数が設定変更された後に前記アンテナから入力された放送信号が前記高周波増幅回路に入力されるように動作させる入力切換制御部と、
を備えたことを特徴とするラジオ受信機。
【請求項７】
前記局部発振回路は発振周波数を設定する共振素子として可変容量ダイオードを含むものであり、前記発振周波数設定部は、前記局部発振信号の周波数を受信予定の放送信号と同一の周波数に設定する場合、前記可変容量ダイオードに供給する制御電圧を調整することにより局部発振信号の周波数を受信予定の放送信号と同一の周波数に設定するものであることを特徴とする請求項６記載のラジオ受信機。
【請求項８】
前記局部発振回路は発振周波数を設定する共振素子として可変容量ダイオードを含むものであり、前記発振周波数設定部は、前記局部発振信号の周波数を局発周波数に設定する場合、前記可変容量ダイオードに供給する制御電圧を調整することにより局部発振信号の周波数を局発周波数に設定するものであることを特徴とする請求項６記載のラジオ受信機。
【請求項９】
前記高周波増幅回路は同調周波数を設定する同調素子として可変容量ダイオードを含むものであり、前記定数設定部は前記可変容量ダイオードに供給する制御電圧を調整することにより同調素子の定数を設定変更するものであることを特徴とする請求項６乃至８のいずれかに記載のラジオ受信機。
【請求項１０】
前記高周波増幅回路からの出力を増幅する調整信号増幅回路を備え、前記定数設定部は、前記調整信号増幅回路で増幅された出力レベルが最大になるように前記高周波増幅回路の同調素子の定数を設定変更するものであることを特徴とする請求項６乃至９のいずれかに記載のラジオ受信機。
【発明の詳細な説明】
【技術分野】
【０００１】
本発明は、スーパーヘテロダイン方式のラジオ受信機のトラッキング調整方法及びラジオ受信機に関する。
【背景技術】
【０００２】
近年、スーパーヘテロダイン方式のラジオ受信機では、マイクロコンピュータの制御により自動選局するように構成されたものが多用されている。このような自動選局方式のラジオ受信機において、高周波増幅回路に備わる同調回路の同調周波数と局部発振回路の局発周波数との混合回路における差分信号が正確に中間周波数になるように生産現場などにおいてトラッキング調整が行われる。この生産現場などにおけるトラッキング調整は煩雑な作業になることから、熟練した調整技術を有する作業者が必要になると共に、トラッキング調整を行っても構成部品の経年変化や周囲温度の変化などに起因してトラッキングエラーが不可避的に生じてしまう。
【０００３】
このため、ラジオ受信機の内部にトラッキング調整用の補助発振器などを一体に備えておき、放送信号を受信する毎にその補助発振器から所定周波数の信号を高周波増幅回路に入力すると共に、中間周波増幅器の出力レベルが最大になるように高周波増幅回路の同調回路を構成する可変容量ダイオードに供給される制御電圧を調整してトラッキング調整を行うという方法が提案されている。この方法によれば、放送信号を受信する毎にトラッキング調整が行われることから、構成部品の経年変化や周囲温度などの影響を受けない信頼性に優れたラジオ受信機が実現される（例えば、特許文献１）。
【特許文献１】特開平４―３５８４２３号公報
【発明の開示】
【発明が解決しようとする課題】
【０００４】
ところが、上記提案されている構成では、構成部品の経年変化や周囲温度などの影響を受けない信頼性に優れたラジオ受信機が実現されるとはいうものの、ラジオ受信機を構成する通常回路の他に補助発振器やその補助発振器の発振周波数を制御する制御回路などの構成部品が必要になることから、構成部品点数が増加することと相俟って製造工程が煩雑になり、コストアップを招くことになるという問題があった。
【０００５】
本発明は、このような事情に鑑みてなされたもので、回路構成を複雑化することなくトラッキング調整を容易に行うことができるスーパーヘテロダイン方式のラジオ受信機のトラッキング調整方法及びラジオ受信機を提供することを目的とする。
【課題を解決するための手段】
【０００６】
上記目的を達成するため、請求項１の発明は、高周波増幅回路で同調された受信信号が局部発振回路で生成された局部発振信号により混合回路において所定の中間周波数に変換されると共に、マイクロコンピュータにより自動選局するように構成されたスーパーヘテロダイン方式のラジオ受信機のトラッキング調整方法であって、前記局部発振信号の周波数を受信予定の放送信号の周波数と同一の周波数に設定し、この局部発振信号を前記高周波増幅回路に入力するステップと、前記局部発振信号の入力された高周波増幅回路の出力レベルが最大になるように当該高周波増幅回路を構成する同調素子の定数を設定変更するステップと、前記高周波増幅回路の出力レベルが最大になるように同調素子の定数が設定変更された後に、前記局部発振信号の周波数を受信予定の放送信号の周波数が前記混合回路において所定の中間周波数に変換される局発周波数に設定するステップと、前記局発周波数に設定された局部発振信号を前記同調素子の定数が設定変更された後の高周波増幅回路で同調された受信信号と共に前記混合回路に入力するステップとを備えたことを特徴としている。
【０００７】
また、請求項２の発明は、請求項１に係る方法において、前記局部発振信号の周波数を受信予定の放送信号と同一の周波数に設定するステップでは、前記局部発振回路に含まれる可変容量ダイオードに供給する制御電圧を調整することにより局部発振信号の周波数を受信予定の放送信号と同一の周波数に設定することを特徴としている。
【０００８】
また、請求項３の発明は、請求項１に係る方法において、前記局部発振信号の周波数を局発周波数に設定するステップでは、前記局部発振回路に含まれる可変容量ダイオードに供給する制御電圧を調整することにより局部発振信号の周波数を局発周波数に設定することを特徴としている。
【０００９】
また、請求項４の発明は、請求項１乃至３のいずれかに係る方法において、前記高周波増幅回路からの出力レベルが最大になるように同調素子の定数を設定変更するステップでは、前記高周波増幅回路に含まれる可変容量ダイオードに供給する制御電圧を調整することにより同調素子の定数を設定変更することを特徴としている。
【００１０】
また、請求項５の発明は、請求項１乃至４のいずれかに係る方法において、前記高周波増幅回路の出力レベルが最大になるように同調素子の定数を設定変更するステップでは、前記高周波増幅回路からの出力を増幅すると共に、この増幅した出力レベルが最大になるように同調素子の定数を設定変更することを特徴としている。
【００１１】
また、請求項６の発明は、高周波増幅回路で同調された受信信号が局部発振回路で生成された局部発振信号により混合回路において所定の中間周波数に変換されると共に、マイクロコンピュータにより自動選局するように構成されたスーパーヘテロダイン方式のラジオ受信機であって、アンテナから入力された放送信号と前記局部発振回路で生成された局部発振信号のいずれか一方の信号を前記高周波増幅回路に選択的に入力させる入力切換部と、前記局部発振信号を前記高周波増幅回路に入力させる場合に当該局部発振信号の周波数を受信予定の放送信号と同一の周波数に設定すると共に、前記アンテナから入力された放送信号を前記高周波増幅回路に入力させる場合に前記局部発振信号の周波数を受信予定の放送信号の周波数が前記混合回路において所定の中間周波数に変換される局発周波数に設定する発振周波数設定部と、前記局部発振信号が前記高周波増幅回路に入力される場合に当該高周波増幅回路の出力レベルが最大になるように当該高周波増幅回路を構成する同調素子の定数を設定変更する定数設定部と、放送信号を受信するにあたり、前記入力切換部を前記局部発振回路で生成された局部発振信号が前記高周波増幅回路に入力されるように動作させ、前記高周波増幅回路の出力レベルが最大になるように同調素子の定数が設定変更された後に前記アンテナから入力された放送信号が前記高周波増幅回路に入力されるように動作させる入力切換制御部とを備えたことを特徴としている。
【００１２】
また、請求項７の発明は、請求項６に係るものにおいて、前記局部発振回路は発振周波数を設定する共振素子として可変容量ダイオードを含むものであり、前記発振周波数設定部は、前記局部発振信号の周波数を受信予定の放送信号と同一の周波数に設定する場合、前記可変容量ダイオードに供給する制御電圧を調整することにより局部発振信号の周波数を受信予定の放送信号と同一の周波数に設定するものであることを特徴としている。
【００１３】
また、請求項８の発明は、請求項６に係るものにおいて、前記局部発振回路は発振周波数を設定する共振素子として可変容量ダイオードを含むものであり、前記発振周波数設定部は、前記局部発振信号の周波数を局発周波数に設定する場合、前記可変容量ダイオードに供給する制御電圧を調整することにより局部発振信号の周波数を局発周波数に設定するものであることを特徴としている。
【００１４】
また、請求項９の発明は、請求項６乃至８のいずれかに係るものにおいて、前記高周波増幅回路は同調周波数を設定する同調素子として可変容量ダイオードを含むものであり、前記定数設定部は前記可変容量ダイオードに供給する制御電圧を調整することにより同調素子の定数を設定変更するものであることを特徴としている。
【００１５】
また、請求項１０の発明は、請求項６乃至９のいずれかに係るものにおいて、前記高周波増幅回路からの出力を増幅する調整信号増幅回路を備え、前記定数設定部は、前記調整信号増幅回路で増幅された出力レベルが最大になるように前記高周波増幅回路の同調素子の定数を設定変更するものであることを特徴としている。
【発明の効果】
【００１６】
請求項１の発明によれば、局部発振回路により生成された受信予定の放送信号と同一の周波数を有する局部発振信号を高周波増幅回路に入力し、この高周波増幅回路の出力レベルが最大になるように当該高周波増幅回路に含まれる同調素子の定数を設定変更するようにしているので、当該高周波増幅回路において受信予定の放送信号に正確に同調させることができ、この同調された受信信号の周波数を混合回路においてトラッキングエラーの生じない正確な中間周波数に変換することができる。このため、回路構成を複雑化することなくトラッキング調整を容易に行うことができるラジオ受信機のトラッキング調整方法を得ることができる。
【００１７】
請求項２の発明によれば、局部発振回路に含まれる可変容量ダイオードに供給される制御電圧を調整することにより局部発振信号の周波数を受信予定の放送信号の周波数と同一の周波数になるようにしているので、局部発振信号を容易かつ確実に受信予定の放送信号の周波数と同一の周波数に設定することができる。
【００１８】
請求項３の発明によれば、局部発振回路に含まれる可変容量ダイオードに供給する制御電圧を調整することにより局部発振信号の周波数を局発周波数に設定するようにしているので、局部発振信号を容易かつ確実に所定の局発周波数に設定することができる。
【００１９】
請求項４の発明によれば、高周波増幅回路の出力レベルが最大になるように高周波増幅回路に含まれる可変容量ダイオードに供給される制御電圧を調整しているので、同調素子の定数を容易かつ確実に設定変更することができる。
【００２０】
請求項５の発明によれば、高周波増幅回路からの出力を増幅すると共に、この増幅した出力レベルが最大になるように同調素子の定数を設定変更するようにしているので、高周波増幅回路の出力レベルが低い場合でも同調素子の定数を確実に設定変更することができる。
【００２１】
請求項６の発明によれば、局部発振回路により生成された受信予定の放送信号と同一の周波数を有する局部発振信号を高周波増幅回路に入力し、この高周波増幅回路の出力レベルが最大になるように当該高周波増幅回路に含まれる可変容量ダイオードに供給される制御電圧を調整しているので、当該高周波増幅回路において受信予定の放送信号に正確に同調されることができ、この同調された受信信号の周波数を混合回路においてトラッキングエラーの生じない正確な中間周波数に変換することができる。このため、回路構成を複雑化することなくトラッキング調整を容易に行うことができるラジオ受信機を得ることができる。
【００２２】
請求項７の発明によれば、局部発振回路に含まれる可変容量ダイオードに供給される制御電圧を調整することにより局部発振信号の周波数を受信予定の放送信号の周波数と同一の周波数になるようにしているので、局部発振信号を容易かつ確実に受信予定の放送信号の周波数と同一の周波数に設定することができるラジオ受信機を得ることができる。
【００２３】
請求項８の発明によれば、局部発振回路に含まれる可変容量ダイオードに供給する制御電圧を調整することにより局部発振信号の周波数を局発周波数に設定するようにしているので、局部発振信号を容易かつ確実に所定の局発周波数に設定することができるラジオ受信機を得ることができる。
【００２４】
請求項９の発明によれば、高周波増幅回路の出力レベルが最大になるように高周波増幅回路に含まれる可変容量ダイオードに供給される制御電圧を調整しているので、同調素子の定数を容易かつ確実に設定変更することができるラジオ受信機を得ることができる。
【００２５】
請求項１０の発明によれば、高周波増幅回路からの出力を増幅し、この増幅した出力レベルが最大になるように同調素子の定数を設定変更するようにしているので、高周波増幅回路の出力レベルが低い場合でも同調素子の定数を確実に設定変更することができるラジオ受信機を得ることができる。
【発明を実施するための最良の形態】
【００２６】
図１は、本発明の一実施形態に係るラジオ受信機の基本構成を示すブロック図であり、図２は、その回路構成の要部を示す概略構成図である。これらの図において、ラジオ受信機１０は、アンテナ１４、入力切換部１６、高周波増幅回路１８、局部発振回路２０、ＰＬＬ（Phase-Locked Loop）回路２２、混合回路２４、中間周波増幅回路２６、復調回路２８、ミュート回路３０、低周波増幅回路３２、スピーカ３４、調整信号増幅回路３６、調整信号検出部３８、ＤＣ変換部４０及びシステムコントローラ４２を備えている。なお、局部発振回路２０及び混合回路２４は周波数変換回路を構成するものである。
【００２７】
すなわち、本発明に係るラジオ受信機１０は、局部発振回路２０により受信予定の放送信号と同一の周波数を有するトラッキング調整用信号として用いる局部発振信号を生成すると共に、その局部発振信号を同調回路を備えた高周波増幅回路１８に入力し、高周波増幅回路１８の出力レベルが最大になるように高周波増幅回路１８の同調素子である可変容量ダイオードに供給される制御電圧を調整し、その高周波増幅回路１８で同調された受信信号と所定の中間周波数に変換するための局部発振信号とを混合回路に入力することでトラッキング調整を行うようにした点に特徴を有するものである。また、このラジオ受信機１０は、本実施形態では、ＦＭ放送（ＦＭ）や中波放送（ＭＷ）などの複数バンドの放送電波を受信可能に構成したものである。以下、各構成要素につき順次説明するが、公知の構成要素については機能的な説明のみに留め、詳細な説明は省略する。
【００２８】
アンテナ１４は、放送電波を受信するためのものである。入力切換部１６は、アンテナ１４から入力される放送信号と、局部発振回路２０から出力されるトラッキング調整用信号として用いる局部発振信号とを選択的に高周波増幅回路１８に入力するものであり、高周波増幅回路１８の入力端が接続される共通端１６１と、アンテナ１４が接続される受信モード端１６２と、局部発振回路２０の出力端が接続される調整モード端１６３とを備えたものである。
【００２９】
すなわち、入力切換部１６は、局部発振回路２０で生成されるトラッキング調整用信号として用いる局部発振信号を高周波増幅回路１８に入力する調整モード、及び、アンテナ１４で受信した放送信号を高周波増幅回路１８に入力する受信モードのいずれか一方のモードに切り換えるためのものである。
【００３０】
この入力切換部１６は、図２に示すように、スイッチ素子として機能する第１のトランジスタＱ１、第２のトランジスタＱ２及び第３のトランジスタＱ３により入力切換スイッチ部を構成したものである。すなわち、第１のトランジスタＱ１と第２のトランジスタＱ２とが互いに直列接続されると共に、第１のトランジスタＱ１側が接地され、第２のトランジスタＱ２側にアンテナ１４が接続されたもので、さらに局部発振回路２０の出力信号が第３のトランジスタＱ３を介して第１のトランジスタＱ１と第２のトランジスタＱ２との間に供給されるように構成されている。
【００３１】
この入力切換部１６の構成において、第１のトランジスタＱ１と第２のトランジスタＱ２とが共にオンのとき、アンテナ１４で受信した放送信号が高周波増幅回路１８に入力され、第１のトランジスタＱ１と第２のトランジスタＱ２とが共にオフのとき、局部発振回路２０が駆動状態にあるときにオンとなっている第３のトランジスタＱ３を介して局部発振回路２０から出力されるトラッキング調整用信号として用いる局部発振信号が高周波増幅回路１８に入力される。
【００３２】
なお、図２に示す第２のトランジスタＱ２のエミッタと高周波増幅回路１８との接続点が図１に示す共通端１６１に対応し、図２に示す第２のトランジスタＱ２のコレクタとアンテナ１４との接続点が図１に示す受信モード端１６２に対応し、図２に示す第３のトランジスタＱ３のエミッタと抵抗素子Ｒｂとの接続点が図１に示す調整モード端１６３に対応する。
【００３３】
高周波増幅回路１８は、局部発振回路２０から出力されるトラッキング調整用信号として用いる局部発振信号、あるいは、アンテナ１４で受信した放送信号が入力された場合、それらの信号に同調させると共に、それらの同調された信号を所定の増幅率で増幅するもので、原理的構成図である図３に示すように、固定インダクタ１８１と、固定インダクタ１８１に並列接続された固定コンデンサ１８２と、固定コンデンサ１８２に並列接続された容量調整回路１８３とから構成された同調回路１８４を備えたものである。ここで、容量調整回路１８３は、固定コンデンサ１８５と可変容量コンデンサ１８６との直列回路で構成されており、電圧入力端子Ｔｖ１を介して可変容量コンデンサ１８６のカソードに供給される制御電圧（駆動電圧）が調整されることで可変容量コンデンサ１８６の静電容量が可変され、これにより同調回路１８４の同調周波数が可変される。
【００３４】
このため、本発明では、この同調回路１８４に局部発振回路２０から出力されるトラッキング調整用信号として用いる受信予定の放送信号の周波数と同一の周波数に設定された局部発振信号が入力切換部１６を介して入力され、この入力された局部発振信号のレベルが最大になるように可変容量コンデンサ１８６の静電容量が調整され、この調整後にアンテナ１４で受信した放送信号が入力切換部１６を介して入力される。これにより、高周波増幅回路１８からは受信予定の放送信号に正確に同調された受信信号が出力される。なお、固定インダクタ１８１、固定コンデンサ１８２、固定コンデンサ１８５及び可変容量コンデンサ１８６は、いずれも高周波増幅回路１８の同調素子を構成するものである。
【００３５】
局部発振回路２０は、局部発振信号を生成するものであり、原理的構成図である図４に示すように、固定インダクタ２０１と、固定インダクタ２０１に並列接続された固定コンデンサ２０２と、固定コンデンサ２０２に並列接続された容量調整回路２０３とから構成された共振回路２０４を備えたものである。ここで、容量調整回路２０３は、固定コンデンサ２０５と可変容量コンデンサ２０６との直列回路で構成されており、電圧入力端子Ｔｖ２を介して可変容量コンデンサ２０６のカソードに供給される制御電圧（駆動電圧）が調整されることで可変容量コンデンサ２０６の静電容量が可変される。
【００３６】
これにより、共振回路２０４の共振周波数が設定変更され、トラッキング調整時においては、受信予定の放送信号と同一の周波数に設定されたトラッキング調整用信号として用いる局部発振信号が出力され、放送信号の受信時においては、高周波増幅回路１８で同調された受信信号を所定の中間周波数に変換するための局部発振周波数（局発周波数）を有する局部発振信号が出力されることになる。なお、固定インダクタ２０１、固定コンデンサ２０２、固定コンデンサ２０５及び可変容量コンデンサ２０６は、いずれも共振素子を構成するものである。
【００３７】
ＰＬＬ回路２２は、局部発振回路２０の共振回路２０４を構成する可変容量ダイオード２０６に供給される制御電圧を調整するための制御電圧調整部２２１と、局部発振回路２０の出力を制御電圧調整部２２１にフィードバックさせる発振周波数入力回路２２２としての機能を有するものである。このＰＬＬ回路２２は、例えば、プログラマブル分周器、位相比較器、ＶＣＯ（Voltage Controlled Oscillator）、低域フィルタなどからなる公知の構成のもので、プログラマブル分周器にシステムコントローラ４２から選局信号（周波数データ）が供給されることで制御電圧調整部２２１から出力される電圧が局部発振回路２０の共振回路２０４を構成する可変容量ダイオード２０６に供給され、これにより局部発振回路２０から出力される局部発振信号の周波数が可変されるようにしたものである。
【００３８】
このＰＬＬ回路２２は、本実施形態では、操作スイッチが操作されるなどして受信する放送信号が切り換えられる場合、最初に受信予定の放送信号と同一の周波数の局部発振信号を出力させる制御電圧を局部発振回路２０の可変容量ダイオード２０６に供給すると共に、その後に受信信号の周波数（受信周波数）を混合回路２４において所定の中間周波数に変換するための周波数（局発周波数）を有する局部発振信号を出力させる制御電圧を局部発振回路２０の可変容量ダイオード２０６に供給する。なお、局部発振回路２０から出力される局部発振信号は、発振周波数入力回路２２２を介してフィードバックされることで誤差が補正される。
【００３９】
混合回路２４は、高周波増幅回路１８で同調された受信信号と、局部発振回路２０で生成された所定の局部発振周波数を有する局部発振信号とにより受信信号を所定の中間周波数に変換するものであり、中間周波増幅回路２６は、混合回路２４で得られた中間周波信号を増幅するものである。復調回路２８は、増幅された中間周波信号を復調するものであり、ミュート回路３０は、トラッキング調整時や受信周波数切換時などにスピーカ３４から出力される音声をミュートするものである。低周波増幅回路３２は、復調された低周波信号を増幅するものであり、スピーカ３４は、増幅された低周波信号を音声として出力するものである。
【００４０】
調整信号増幅回路３６は、第４のトランジスタＱ４を含んで構成され、トラッキング調整用信号として用いる局部発振信号が高周波増幅回路１８に入力された場合に高周波増幅回路１８から出力される局部発振信号を増幅するものである。調整信号検出部３８は、抵抗回路などで構成され、調整信号増幅回路３６で増幅されたトラッキング調整用信号である局部発振信号を検出するものである。ＤＣ変換部４０は、例えば整流回路などで構成され、調整信号検出部３８で検出された信号を整流して平均化することで直流信号に変換し、システムコントローラ４２に出力するものである。
【００４１】
システムコントローラ４２は、ラジオ受信機１０の動作を制御するものであり、所定の演算処理を実行するＣＰＵ（Central Processing Unit）、所定の処理プログラム及びデータが記録されたＲＯＭ(Read-Only Memory)、データを一時的に記録するＲＡＭ(Random Access Memory)などからなるマイクロコンピュータにより構成されたものである。
【００４２】
また、このシステムコントローラ４２には、高周波増幅回路１８から出力されるトラッキング調整用信号である局部発振信号のレベルが最大になるときの可変容量ダイオード１８６の制御電圧値を記憶するＥＥＰＰＲＯＭ（Electrically erasable and programmable ROM）などの書換え可能な記憶部４４、受信周波数などを表示するための液晶ディスプレイなどで構成された表示部４８、及び、受信周波数の切り換え操作などを行うための操作スイッチ５０が接続されている。
【００４３】
また、システムコントローラ４２は、受信機能制御部４２１、入力切換制御部４２２、レベル判別部４２３、制御電圧調整部４２４、及び、ＰＬＬ制御部４２５としての各機能実現部を備えている。なお、システムコントローラ４２には、ＤＣ変換部４０から出力された検出信号が入力される入力回路４２６、及び、表示部４８を駆動するためのディスプレイ駆動回路４２７を備えている。
【００４４】
受信機能制御部４２１は、操作スイッチ５０を操作することにより自動的に選局を行う自動選局機能、トラッキング調整時や受信周波数切換時などにスピーカ３４から出力される音声をミュートするミュート機能などのラジオ受信機としての種々の機能を制御するものである。例えば、自動選局機能について言えば、図略の設定スイッチにより所定の受信バンドに設定した後、オートシーク選局を選択して操作スイッチ５０をオン操作すると、ＰＬＬ制御部４２５からＰＬＬ回路２２に対し所定のステップ周波数単位で設定された選局信号が所定のタイミングで順次供給される。
【００４５】
これにより、ＰＬＬ回路２２から局部発振回路２０の可変容量ダイオード２０６に供給される制御電圧が可変されることで局部発振回路２０の発振周波数が低い値から高い値（又は、高い値から低い値）に順次変更され、所定のステップ周波数単位で設定された受信周波数に順次切り換えられることになる。なお、所定の受信周波数に放送信号が存在する場合、操作スイッチ５０が再び操作されるまで新たな選局動作は中止される。
【００４６】
また、図略の設定スイッチにより所定の受信バンドに設定した後、プリセット選局を選択すると、操作スイッチ５０をオン操作する毎にＰＬＬ制御部４２５からＰＬＬ回路２２に対し予め設定された放送信号に対応する選局信号が供給される。これにより、ＰＬＬ回路２２から局部発振回路２０の可変容量ダイオード２０６に供給される制御電圧が可変されることで局部発振回路２０の発振周波数が変更され、予め設定された放送信号の周波数に切り換えられることになる。
【００４７】
なお、オートシーク選局あるいはプリセット選局が選択された場合、受信予定の放送信号の周波数（受信周波数）に切り換えられ、その周波数におけるトラッキング調整が完了するまでの間、ミュート回路３０を構成するスイッチ素子として機能する第５のトランジスタＱ５がオンにされ、スピーカ３４から音声が出力しないようにされる。
【００４８】
入力切換制御部４２２は、入力切換部１６の動作を制御するものであり、操作スイッチ５０が操作されるなどして受信周波数が変更される場合、最初に共通端１６１を調整モード端１６３に接続し、高周波増幅回路１８の同調周波数の調整が終了した後に共通端１６１を受信モード端１６２に接続するものである。すなわち、最初に局部発振回路２０から出力されるトラッキング調整用信号として用いる局部発振信号が高周波増幅回路１８に入力されるようにし、高周波増幅回路１８の可変容量ダイオード１８６に供給される制御電圧を局部発振信号の出力レベルが最大になるように設定した後に、アンテナ１４で受信された放送信号が高周波増幅回路１８に入力されるようにする。
【００４９】
レベル判別部４２３は、高周波増幅回路１８から出力されるトラッキング調整用信号である局部発振信号の出力レベルが最大になったか否かを判別するものである。このレベル判別部４２３は、例えば、制御電圧調整部４２４から可変容量ダイオード１８６に順次供給される制御電圧に対応する検出信号のレベルの変化率を監視することで高周波増幅回路１８の出力レベルが最大になったか否かを判別する。なお、高周波増幅回路１８から出力された局部発振信号は、調整信号増幅回路３６で増幅されたのちに調整信号検出部３８で検出され、ＤＣ変換部４０で直流信号に変換されたのちに入力回路部４２６を介してシステムコントローラ４２に入力される。
【００５０】
制御電圧調整部４２４は、高周波増幅回路１８の可変容量ダイオード１８６に供給される制御電圧を予め定めた微小な単位で順次変化させて出力するものであり、レベル判別部４２３で出力レベルを判別しつつ高周波増幅回路１８から出力されたトラッキング調整用信号である局部発振信号の出力レベルが最大になるように可変容量ダイオード１８６に供給される制御電圧を調整するものである。なお、トラッキング調整用信号である局部発振信号の出力レベルが最大になったときの可変容量ダイオード１８６に供給されている制御電圧値は記憶部４４に記憶される。
【００５１】
ＰＬＬ制御部４２５は、ステップ周波数単位で設定されている放送信号に対応する選局信号（周波数データ）をＰＬＬ回路２２に供給するものである。なお、ＰＬＬ制御部４２５から選局信号がＰＬＬ回路２２に供給されると、ディスプレイ駆動回路４２７が駆動され、その選局信号に対応する受信周波数（受信予定の放送信号の周波数）が表示部４８に表示される。
【００５２】
図５は、ラジオ受信機１０の選局動作の一例を概略的に示すフローチャートである。ここでは、米国のＦＭ放送バンドでプリセット選局を選択した場合の動作を例に説明する。因みに、米国のＦＭ放送バンドは、８７．５〜１０７．９ＭＨｚの周波数範囲に設定され、例えば１００ＫＨｚ間隔（ステップ周波数１００ＫＨｚの場合）で放送局が存在し得るようになっている。
【００５３】
まず、選局のために操作スイッチ５０が操作されると、受信機能制御部４２１により第５のトランジスタＱ５がオンにされることでミュート回路３０が作動される（ステップＳ１）。これにより、スピーカ３４から出力される音声がミュートされる。次いで、ディスプレイ駆動回路４２７が駆動され、受信予定の放送信号の周波数（例えば、１００ＭＨｚ）が表示部４８に表示される（ステップＳ３）。
【００５４】
次いで、操作スイッチ５０が操作されたことを受け、受信予定の放送信号の周波数に対応する選局信号がＰＬＬ制御部４２５からＰＬＬ回路２２に供給される（ステップＳ５）。これにより、ＰＬＬ回路２２の制御電圧調整部２２１から局部発振信号を受信予定の放送信号と同一の周波数に設定するための制御電圧が可変容量ダイオード２０６に供給され、局部発振回路２０から受信予定の放送信号と同一の周波数の局部発振信号が出力される。この局部発振信号はトラッキング調整用信号として用いるものである。
【００５５】
次いで、入力切換部１６が調整モード側に切り換えられる（ステップＳ７）。すなわち、局部発振回路２０から出力されたトラッキング調整用信号として用いる局部発振信号が高周波増幅回路１８に入力されるようにするための制御信号が入力切換制御部４２２から入力切換部１６に供給される。これにより、入力切換部１６が作動されて共通端１６１が調整モード端１６３に接続され、局部発振回路２０から出力されたトラッキング調整用信号として用いる局部発振信号が高周波増幅回路１８に入力される。
【００５６】
次いで、制御電圧調整部４２４から高周波増幅回路１８の可変容量ダイオード１８６に供給される制御電圧が調整され（ステップＳ９）、高周波増幅回路１８から出力される信号レベルが最大になったか否かがレベル判別部４２３により判別される（ステップＳ１１）。ステップＳ１１での判別が否定されたときはステップＳ９に戻り、以降のステップが繰り返し実行される。
【００５７】
すなわち、ステップＳ９では、高周波増幅回路１８の可変容量ダイオード１８６に、小さい値から大きい値になるように（あるいは、大きい値から小さい値になるように）微小な単位で変化させた制御電圧が制御電圧調整部４２４から順次供給される。そして、ステップＳ１１では、可変容量ダイオード１８６に異なる値の制御電圧が供給される毎に高周波増幅回路１８から出力される信号レベル（高周波増幅回路１８の出力レベル）が最大になったか否かがレベル判別部４２３により判別される。
【００５８】
ステップＳ１１での判別が肯定されると、高周波増幅回路１８の出力レベルが最大になったときの可変容量ダイオード１８６に供給されている制御電圧値が記憶部４４に記憶され、制御電圧調整部４２４から出力される制御電圧はその値に固定される（ステップＳ１３）。この記憶部４４に記憶された制御電圧値は、例えば一定時間内に同じ放送信号を受信する場合などに用いることができる。すなわち、一定時間内に同じ放送信号を受信する場合、記憶部４４に記憶されている制御電圧値を読み出し、制御電圧調整部４２４から出力される制御電圧をその読み出した値に設定するようにすると、トラッキング調整に要する時間を短縮することが可能となる。
【００５９】
次いで、ＰＬＬ回路２２の制御電圧調節部２２１から出力される制御電圧が切り換えられる（ステップＳ１５）。すなわち、受信予定の放送信号の周波数（例えば、１００ＭＨｚ）を混合回路２４において所定の中間周波数（例えば、１０.７ＭＨｚ）に変換するための局部発振周波数（例えば、１１０.７ＭＨｚあるいは８９.３ＭＨｚ）を有する局部発振信号を局部発振回路２０で生成するための制御電圧が可変容量ダイオード２０６に供給され、局部発振回路２０からその局部発振周波数を有する局部発振信号が出力される。
【００６０】
次いで、入力切換部１６が受信モード側に切り換えられる（ステップＳ１７）。すなわち、アンテナ１４で受信した放送信号が高周波増幅回路１８に入力されるようにするための制御信号が入力切換制御部４２２から入力切換部１６に供給される。これにより、入力切換部１６が作動されることで共通端１６１が受信モード端１６２に接続され、アンテナ１４で受信した放送信号が高周波増幅回路１８に入力される。これにより、受信予定の放送信号が高周波増幅回路１８で同調され、その同調された受信信号が局部発振信号と共に混合回路２４に入力されることで所定の中間周波数に変換される。そして、その中間周波数に変換された受信信号は中間周波増幅回路２６で増幅され、復調回路２８で復調される。
【００６１】
次いで、受信機能制御部４２１により第５のトランジスタＱ５がオフにされることでミュート回路３０の作動が解除される（ステップＳ１９）。これにより、復調回路２８で復調された信号が低周波増幅回路３２で増幅され、スピーカ３４から音声として出力される。
【００６２】
次いで、操作スイッチ５０が再び操作されたか否かがシステムコントローラ４２で判別される（ステップＳ２１）。このステップＳ２１での判別が肯定されると、ステップＳ１に移行したのち、それ以降のステップが繰り返し実行される。また、ステップＳ２１での判別が否定されると、選局動作が終了する。なお、選局動作をプリセット選局の場合について説明しているが、オートシーク選局の場合でも同様の動作を行わせることができる。
【００６３】
以上説明したように、本発明は、局部発振回路２０により受信予定の放送信号と同一の周波数を有するトラッキング調整用信号として用いる局部発振信号を生成すると共に、その局部発振信号を高周波増幅回路１８に入力し、高周波増幅回路１８の出力レベルが最大になるように高周波増幅回路１８の同調素子である可変容量ダイオードに供給される制御電圧を調整し、高周波増幅回路１８で同調された受信信号と所定の中間周波数に変換するための局部発振信号とを混合回路に入力するようにしている。
【００６４】
このように、本発明では、局部発振回路２０により生成された受信予定の放送信号と同一の周波数を有する局部発振信号を高周波増幅回路１８に入力し、高周波増幅回路１８の出力レベルが最大になるように可変容量ダイオード１８６に供給される制御電圧を調整しているので、高周波増幅回路１８では受信予定の放送信号に正確に同調されることになる結果、同調された受信信号の周波数（受信周波数）を混合回路においてトラッキングエラーの生じない正確な中間周波数に変換することができる。
【００６５】
このため、従来のような補助発振器やその補助発振器の発振周波数を制御する制御回路などの構成部品を必要としないことから、回路構成を複雑化することなくトラッキング調整を容易に行うことができるラジオ受信機のトラッキング調整方法及びラジオ受信機を得ることができる。また、経年変化や周囲温度の変動により構成部品の電気特性が変動しても、その構成部品の電気特性が変動した状態で高周波増幅回路１８の出力レベルが最大になるように調整されることから、常に正確なトラッキング調整を行うことができるようになる。
【００６６】
また、本発明では、局部発振回路２０により生成された受信予定の放送信号と同一の周波数を有する局部発振信号を高周波増幅回路１８に入力し、高周波増幅回路１８の出力レベルが最大になるように可変容量ダイオード１８６に供給される制御電圧を調整しているので、従来例における中間周波増幅回路の出力レベルを検出するものに比べて短時間でトラッキング調整を行うことができる。
【００６７】
すなわち、従来例のように中間周波増幅回路の出力レベルを検出する構成では、トラッキングエラーがきわめて大きい未調整状態で作動する中間周波増幅回路を用いてトラッキングエラーが順次小さくなるように調整する必要がある。このため、調整開始時には中間周波増幅回路に大きなレベルの調整用信号を入力して十分な出力レベルが得られるようにし、トラッキングエラーが小さくなるのに応じて調整用信号のレベルを順次小さくしつつトラッキング調整の精度を上げていくことになる結果、自動制御動作のアルゴリズムが複雑となり、不可避的に処理時間が長くなってしまうという不都合が生じる。
【００６８】
これに対し、本発明では、高周波増幅回路１８の出力レベルを検出するものであり、高周波増幅回路１８の同調回路は調整開始時においてトラッキング調整用信号である局部発振信号に同調された状態に近い状態に設定されることになるため、トラッキング調整用信号である局部発振信号を大きなレベルから小さなレベルへと順次切り換える必要がなくなる結果、自動制御動作のアルゴリズムが簡素化され、処理時間を短くすることができることになる。
【００６９】
さらに、本発明では、固定インダクタ１８１，２０１及び固定コンデンサ１８２，１８５，２０２，２０５の定数をカットアンドトライ法により求めた上で設定しておくことにより、可変容量ダイオード１８６，２０６に供給する制御電圧を調整するだけでトラッキング調整を行うことができるため、従来のように可変インダクタや可変コンデンサを用いる必要がなくなる結果、高周波増幅回路１８の同調回路１８４及び局部発振回路２０の共振回路２０４の構成を簡素化することができる。
【００７０】
なお、本発明は、上記実施形態のものに限定されるものではなく、以下に述べるような種々の変形態様を必要に応じて採用することができる。
【００７１】
（１）上記実施形態では、入力切換部１６の受信モード端１６２にアンテナ１４を接続するようにしているが、これに限るものではない。例えば、放送電波の電界強度が強い場所などにおいて、高周波増幅回路１８の入力側の配線ラインなどがアンテナとして機能するような場合では、アンテナ１４は必ずしも必要としない。この場合、配線ラインなどが本発明におけるアンテナとなる。
【００７２】
（２）上記実施形態では、高周波増幅回路１８から出力される信号を増幅する調整信号増幅回路３６を備えているが、これに限るものではない。例えば、高周波増幅回路１８から出力される信号が十分なレベルにある場合には、高周波増幅回路１８から出力される信号を調整信号検出部３８に直接入力させるようにすることもできる。
【００７３】
（３）上記実施形態では、操作スイッチ５０が操作されるなどして受信予定の放送信号が切り換えられる場合、受信予定の放送信号と同一の周波数の局部発振信号が局部発振回路２０で生成されたのちに入力切換部１６が調整モードに切り換えられると共に、受信信号を所定の中間周波数に変換するための周波数（局発周波数）の局部発振信号が局部発振回路２０で生成されたのちに入力切換部１６が受信モードに切り換えられるように構成されているが、これに限るものではない。
【００７４】
例えば、操作スイッチ５０が操作されるなどして受信予定の放送信号が切り換えられる場合、入力切換部１６が調整モードに切り換えられたことを受けて受信予定の放送信号と同一の周波数の局部発振信号が局部発振回路２０で生成されるようにすると共に、入力切換部１６が受信モードに切り換えられたことを受けて受信信号を所定の中間周波数に変換するための周波数（局発周波数）の局部発振信号が局部発振回路２０で生成されるようにしてもよい。
【００７５】
（４）上記実施形態では、局部発振回路２０で生成されたトラッキング調整用信号として用いる局部発振信号をそのまま高周波増幅回路１８に入力するようにしているが、これに限るものではない。例えば、局部発振回路２０で生成されたトラッキング調整用信号として用いる局部発振信号を減衰器により信号レベルを減衰させた状態で高周波増幅回路１８に入力することもできる。この場合、減衰器の減衰量を調節するための制御部を備えていてもよい。
【００７６】
（５）上記実施形態では、ラジオ受信機１０の全体構成を説明しているが、本発明をラジオ受信機１０を構成するための主要な構成要素からなる選局装置とすることも可能である。この場合、選局装置は、少なくとも入力切換部１６、高周波増幅回路１８、局部発振回路２０、ＰＬＬ回路２２、混合回路２４、調整信号検出部３８、ＤＣ変換部４０及びシステムコントローラ４２を含んで構成されておればよい。要は、局部発振回路の発振周波数を設定変更するＰＬＬ回路２２に対し選局信号を送信するシステムコントローラ４２を備えたスーパーヘテロダイン方式のラジオ受信機が構成可能となるようになっておればよい。
【図面の簡単な説明】
【００７７】
【図１】本発明の一実施形態に係るラジオ受信機の基本構成を示すブロック図である。
【図２】本発明の一実施形態に係るラジオ受信機の回路構成の要部を示す概略構成図である。
【図３】図１及び図２に示すラジオ受信機の高周波同調回路に備わる同調回路の原理的回路構成図である。
【図４】図１及び図２に示すラジオ受信機の局部発振回路に備わる共振回路の原理的回路構成図である。
【図５】図１及び図２に示すラジオ受信機の選局動作を説明するためのフローチャートである。
【符号の説明】
【００７８】
１０  ラジオ受信機
１４  アンテナ
１６  入力切換部
１８  高周波増幅回路
２０  局部発振回路
２２  ＰＬＬ回路
２４  混合回路
２６  中間周波増幅回路
２８  復調回路
３０  ミュート回路
３２  低周波増幅回路
３４  スピーカ
３６  調整信号増幅回路
３８  調整信号検出部
４０  ＤＣ変換部
４２  システムコントローラ
１６１  共通端
１６２  受信モード端
１６３  調整モード端
１８５  高周波増幅回路における同調回路を構成する可変容量ダイオード
２０６  局部発振回路における共振回路を構成する可変容量ダイオード
２２１  制御電圧調整部（発振周波数設定部）
４２２  入力切換制御部
４２４  制御電圧調整部（定数設定部）
【図１】
2006033616.tif 000003
【図２】
2006033616.tif 000004
【図３】
2006033616.tif 000005
【図４】
2006033616.tif 000006
【図５】
2006033616.tif 000007